(57)【要約】【課題】電線を露出配線する場合でも外郭内に塵埃等の異物が侵入するのを防ぐことができる露出コンセントを提供する。【解決手段】前面に刃受穴２が設けられ施工面に露出した状態で取り付けられる外郭１と、刃受穴２に挿入される栓刃を受ける刃受と、外郭１の一面に開口する開口部３から外郭１内に挿入される電線２００を刃受と電気的に接続する端子部と、開口部３と電線２００との隙間を塞ぐ防塵カバー１０とを備える。防塵カバー１０によって開口部３と電線２００との隙間を塞いで電線２００を露出配線する場合でも外郭１内に塵埃等の異物が侵入するのを防ぐことができる。【選択図】        図１
2004199901.tif 000002
【特許請求の範囲】
【請求項１】
前面に刃受穴が設けられ施工面に露出した状態で取り付けられる外郭と、刃受穴に挿入される栓刃を受ける刃受と、外郭の一面に開口する開口部から外郭内に挿入される電線を刃受と電気的に接続する端子部と、開口部と電線との隙間を塞ぐ防塵カバーとを備えたことを特徴とする露出コンセント。
【請求項２】
防塵カバーは、開口部に挿入される主部と、主部の一端側に設けられて主部の外周面と開口部との隙間を覆う外鍔とを有することを特徴とする請求項１記載の露出コンセント。
【請求項３】
防塵カバーは、柔軟性を有する材料で形成され、開口面積を可変とし電線が通線される通線口を有することを特徴とする請求項１又は２記載の露出コンセント。
【請求項４】
防塵カバーは、外形寸法が開口部の内径寸法よりも小さくない寸法に設定されて開口部に圧入される圧入部を有することを特徴とする請求項１又は２又は３記載の露出コンセント。
【請求項５】
防塵カバーは、外郭に設けられた被係止部に係止する係止部を有することを特徴とする請求項１乃至４の何れかに記載の露出コンセント。
【発明の詳細な説明】
【０００１】
【発明の属する技術分野】
本発明は、壁面のような施工面に露出した状態で施工される露出コンセントに関するものである。
【０００２】
【従来の技術】
従来の露出コンセントとしては図９及び図１０に示すようなものがある（特許文献１参照）。すなわち、この従来例は、前面に刃受穴１０１が設けられ壁面のような施工面に露出した状態で取り付けられる外郭１００と、刃受穴１０１に挿入される栓刃を受ける刃受１０２と、外郭１００の上面に開口する開口部１０３からそれぞれ電線挿入孔１１０を通して外郭１００内に挿入される電線２００の導体２０１を刃受１０２と電気的に接続する端子部１０４と、外郭１００の前面に被着される化粧カバー１１１とを備えている。また、外郭１００の長手方向下端部には接地線を接続する接地線接続部（図示せず）が設けられ、接地線接続部を開閉自在に隠す扉１０８が外郭１００の前面下部に設けられている。
【０００３】
端子部１０４は、従来周知の速結端子構造を有し、刃受１０２と電気的に接続された端子板１０５と、端子板１０５との間で電線２００の導体２０１を狭持し且つ鎖錠する鎖錠ばね１０６と、外郭１００の前面に一部が露出する形で回動自在に設けられ、回動時に鎖錠ばね１０６の鎖錠を解除する解除ハンドル１０７とを具備している。ここで、この従来例では接地極を含めた３極の刃受を有するものであるから、各極に対応した３つの端子部１０４を備え、それぞれの端子部１０４に合計３本の導体２０１が接続される。なお、電線２００はそれぞれが絶縁体２０２で被覆された３本の導体２０１をまとめてシース２０３で被覆した平形ケーブルからなる。
【０００４】
ところで、上記従来例においては電線２００を露出配線すると見栄えが良くないことから、図１１に示すような配線モール２１０を使って電線２００を配線する場合がある。この配線モール２１０は、壁面のような施工面に取り付けられる断面略コ字形のベース部材２１１と、このベース部材２１１に嵌合取り付けされる断面略コ字形のカバー部材２１２とで構成されており、ベース部材２１１とカバー部材２１２との間に生じる空間に電線２００が収納される。そして、外郭１００の開口部１０３の内径寸法が配線モール２１０の外形寸法にほぼ一致させてあり、配線モール２１０の端部を外郭１００の開口部１０３内に挿入すると配線モール２１０と開口部１０３との間がほぼ隙間なく埋められて外郭１００内への塵や埃等の異物の侵入を防止している（図１２参照）。
【０００５】
【特許文献１】
特開２００２−１３４２１６号公報（第３−５頁、第１図）
【０００６】
【発明が解決しようとする課題】
ところで、上記従来例では外郭１００の開口部１０３の内径寸法を配線モール２１０の外形寸法にほぼ一致させてあるため、電線２００を露出配線した場合に、図１３に示すように電線２００と開口部１０３との間に隙間が生じ、この隙間を通して塵や埃などの異物が外郭１００内に侵入しやすくなるという問題がある。特に工場などのように塵埃が多く発生する場所で使用する場合に外郭１００内へ侵入した塵埃によりトラッキング等の不具合が発生する虞がある。
【０００７】
本発明は上記事情に鑑みて為されたものであり、電線を露出配線する場合でも外郭内に塵埃等の異物が侵入するのを防ぐことができる露出コンセントを提供することにある。
【０００８】
【課題を解決するための手段】
請求項１の発明は、上記目的を達成するために、前面に刃受穴が設けられ施工面に露出した状態で取り付けられる外郭と、刃受穴に挿入される栓刃を受ける刃受と、外郭の一面に開口する開口部から外郭内に挿入される電線を刃受と電気的に接続する端子部と、開口部と電線との隙間を塞ぐ防塵カバーとを備えたことを特徴とする。
【０００９】
請求項２の発明は、請求項１の発明において、防塵カバーは、開口部に挿入される主部と、主部の一端側に設けられて主部の外周面と開口部との隙間を覆う外鍔とを有することを特徴とする。
【００１０】
請求項３の発明は、請求項１又は２の発明において、防塵カバーは、柔軟性を有する材料で形成され、開口面積を可変とし電線が通線される通線口を有することを特徴とする。
【００１１】
請求項４の発明は、請求項１又は２又は３の発明において、防塵カバーは、外形寸法が開口部の内径寸法よりも小さくない寸法に設定されて開口部に圧入される圧入部を有することを特徴とする。
【００１２】
請求項５の発明は、請求項１乃至４の何れかの発明において、防塵カバーは、外郭に設けられた被係止部に係止する係止部を有することを特徴とする。
【００１３】
【発明の実施の形態】
以下、図面を参照して本発明の実施形態を詳細に説明する。
【００１４】
本実施形態は、図１に示すように前面に刃受穴２が設けられ施工面に露出した状態で取り付けられる外郭１と、刃受穴２に挿入される栓刃を受ける刃受（図示せず）と、外郭１の一面に開口する開口部３から外郭１内に挿入される電線２００を刃受と電気的に接続する端子部（図示せず）と、開口部３と電線２００との隙間を塞ぐ防塵カバー１０とを備えている。
【００１５】
外郭１は絶縁性を有する合成樹脂により矩形の箱状に形成されており、前面の中央に一対の刃受穴２が長手方向（図１における上下方向）に並設されている。また、従来例と同様に外郭１の長手方向下端部には接地線を接続する接地線接続部（図示せず）が設けられ、接地線接続部を開閉自在に隠す扉４が外郭１の前面下部に設けられている。なお、外郭１に収納される刃受及び端子部は従来例と同一であるから図示並びに説明を省略する。
【００１６】
次に、本発明の要旨である防塵カバー１０の構造を説明する。
【００１７】
本実施形態における防塵カバー１０は、図２及び図３に示すように有底角筒状の主部１１と、主部１１の一端側（底側）に設けられた外鍔１２とを具備し、主部１１の底面中央には長孔状の通線口１３が貫設されており、合成ゴムのような柔軟性を有する材料で形成されている。
【００１８】
主部１１は、その外形寸法が外郭１の開口部３の内径寸法よりも小さくない寸法に設定され、長手方向の両側面中央には略蒲鉾形の係止部１５が突設されている。したがって、本実施形態では主部１１が開口部３に圧入される圧入部を兼ねている。また、主部１１の底面における通線口１３の長手方向両端近傍に、一端側で通線口１３と連通する幅細の切り込み１４が形成されている。一方、外郭１には、図４に示すように係止部１５が係止する被係止部たる段差５が開口部３の内周面に設けられている。
【００１９】
而して、通線口１３に通線した電線２００を端子部に接続した後、外鍔１２が開口部３周辺の外郭１に当接し且つ係止部１５が段差５に係止する深さまで主部１１を開口部３に圧入することで防塵カバー１０を簡単に開口部３に取り付けることができ、しかも、係止部１５を被係止部たる段差５に係止することで防塵カバー１０が開口部３から脱落するのを防ぐことができる（図４及び図５参照）。なお、図４に示すように主部１１の外周面と開口部３との間に生じる隙間Ｓは外鍔１２によって塞がれることになる。
【００２０】
一方、防塵カバー１０の通線口１３と電線２００との間には隙間が生じないようになっている。つまり、図６に示すようにシース２０３の外形寸法が通線口１３の内径寸法にほぼ等しい電線２００を使用すれば通線口１３の周壁が電線２００に当接して隙間が生じず、また、シース２０３の外形寸法が通線口１３の内径寸法よりも大きい場合においても、防塵カバー１０が柔軟性を有する部材で形成され且つ通線口１３に連通する切り込み１４が形成されているため、図７に示すように通線口１３の周縁部１３ａが電線２００の外形に合わせて捲れることで周縁部１３ａと電線２００との間に隙間が生じることがないものである。すなわち、本実施形態では切り込み１４を設ける通線口１３の開口面積を可変とし、外形寸法が異なる電線２００に対応可能としているから、電線２００の外形寸法に合わせて通線口１３の寸法が異なる複数種の防塵カバー１０を用意する必要がなく、部品の品種削減によるコストダウンが図れるという利点がある。なお、図８に示すように切り込み１４を含む周縁部１３ａを切除することで通線口１３の開口面積を増やせば、さらに外形寸法の大きい電線２００にも対応できる。
【００２１】
【発明の効果】
請求項１の発明は、前面に刃受穴が設けられ施工面に露出した状態で取り付けられる外郭と、刃受穴に挿入される栓刃を受ける刃受と、外郭の一面に開口する開口部から外郭内に挿入される電線を刃受と電気的に接続する端子部と、開口部と電線との隙間を塞ぐ防塵カバーとを備えたことを特徴とし、電線を露出配線する場合でも防塵カバーによって開口部と電線との隙間を塞いで外郭内に塵埃等の異物が侵入するのを防ぐことができる。
【００２２】
請求項２の発明は、請求項１の発明において、防塵カバーは、開口部に挿入される主部と、主部の一端側に設けられて主部の外周面と開口部との隙間を覆う外鍔とを有することを特徴とし、防塵カバーと開口部との隙間を外鍔により塞ぐことで外郭内への異物の侵入をさらに確実に防ぐことができる。
【００２３】
請求項３の発明は、請求項１又は２の発明において、防塵カバーは、柔軟性を有する材料で形成され、開口面積を可変とし電線が通線される通線口を有することを特徴とし、通線口の開口面積を可変とすることで外形寸法が異なる電線に対応可能となり、電線の外形寸法に合わせて通線口の寸法が異なる複数種の防塵カバーを用意する必要がなく、部品の品種削減によるコストダウンが図れる。
【００２４】
請求項４の発明は、請求項１又は２又は３の発明において、防塵カバーは、外形寸法が開口部の内径寸法よりも小さくない寸法に設定されて開口部に圧入される圧入部を有することを特徴とし、防塵カバーを開口部に圧入するだけで簡単に取り付けることができる。
【００２５】
請求項５の発明は、請求項１乃至４の何れかの発明において、防塵カバーは、外郭に設けられた被係止部に係止する係止部を有することを特徴とし、防塵カバーが開口部から脱落するのを防ぐことができる。
【図面の簡単な説明】
【図１】本発明の一実施形態を示す斜視図である。
【図２】同上における防塵カバーの斜視図である。
【図３】同上における防塵カバーを示し、（ａ）は正面図、（ｂ）は下面図、（ｃ）は右側面図である。
【図４】同上における要部断面図である。
【図５】同上の要部平面図である。
【図６】（ａ）は通線口に電線を通線した状態の防塵カバーの正面図、（ｂ）は（ａ）の下断面図である。
【図７】（ａ）は通線口に電線を通線した状態の防塵カバーの正面図、（ｂ）は（ａ）の下断面図である。
【図８】（ａ）は通線口に電線を通線した状態の防塵カバーの正面図、（ｂ）は（ａ）の下断面図である。
【図９】従来例を示し、（ａ）は電線を接続した状態の正面図、（ｂ）は電線を接続しない状態の上面図、（ｃ）は電線を接続した状態の一部省略した右側面断面図である。
【図１０】同上の化粧カバーを外した状態の正面図である。
【図１１】（ａ）は同上に用いる配線モールの分解斜視図、（ｂ）は配線モールの斜視図である。
【図１２】同上の配線モールを用いて施工した状態を示す一部省略した斜視図である。
【図１３】同上の配線モールを用いないで電線を露出配線した状態を示す一部省略した斜視図である。
【符号の説明】
１  外郭
２  刃受穴
３  開口部
１０  防塵カバー
１２  外鍔
２００  電線
【図１】
2004199901.tif 000003
【図２】
2004199901.tif 000004
【図３】
2004199901.tif 000005
【図４】
2004199901.tif 000006
【図５】
2004199901.tif 000007
【図６】
2004199901.tif 000008
【図７】
2004199901.tif 000009
【図８】
2004199901.tif 000010
【図９】
2004199901.tif 000011
【図１０】
2004199901.tif 000012
【図１１】
2004199901.tif 000013
【図１２】
2004199901.tif 000014
【図１３】
2004199901.tif 000015